(57)【要約】      （修正有）【課題】構造が簡単で低コストのペイントブラシを提供する。【解決手段】本体１と、ブラッシング布２と、取っ手３とを備えるペイントブラシであり、本体は、前面１１と後面を有し、前面に複数の材料出力孔１３が設けられ、後面に枢接部１４と材料入力部１５が設けられる。材料入力部がペイント供給装置４に連結され、ペイント供給装置内におけるペイントは材料入力部から本体に入り、本体の前面の材料出力孔から流出することができ、ブラッシング布は、本体の前面の材料出力孔から流出するペイントに塗れるように本体と組み合わされ、取っ手は、枢接部に連結されており、使用者が握った後、その取っ手を押すことで本体におけるブラッシング布を往復させて塗装作業を実行させることができる。【選択図】図１
0003231396.tif 000002
【実用新案登録請求の範囲】
【請求項１】
本体と、ブラッシング布と、取っ手とを備えるペイントブラシであって、
前記本体は、前面と後面を有し、前記前面に複数の材料出力孔が設けられ、前記後面に枢接部と材料入力部が設けられることで、前記材料入力部がペイント供給装置に連結されると、前記ペイント供給装置内におけるペイントは前記材料入力部から前記本体に入った後、前記本体の前面の材料出力孔から流出することができ、
前記ブラッシング布は、前記本体の前面の材料出力孔から流出するペイントに塗れるように前記本体と組み合わされ、
前記取っ手は、前記枢接部に連結されており、使用者が握った後、その取っ手を押すことで本体におけるブラッシング布を往復させて塗装作業を実行させることができることを特徴とするペイントブラシ。
【請求項２】
前記本体の後面には、前記ブラッシング布と貼り合わせ可能な面ファスナーが設けられることを特徴とする請求項１に記載のペイントブラシ。
【請求項３】
前記材料入力部は、管本体であることを特徴とする請求項１に記載のペイントブラシ。
【請求項４】
前記本体の後面には複数のホイールボディが設けられることを特徴とする請求項１に記載のペイントブラシ。
【考案の詳細な説明】
【技術分野】
【０００１】
本考案は、構造が簡単で低コストのペイントブラシに関する。
【背景技術】
【０００２】
壁の塗装は建築装飾において非常に重要な部分であり、清潔で整頓された壁は建物をより視覚的に美しく感じさせる。従来の壁の最も一般的で最も基本的な塗装は、ブラシタイプのペイントブラシを使用して行い、ペイントが塗れたペイントブラシを何度も繰り返して往復させながら壁の塗装を行うが、ペイントの塗れ動作を繰り返す必要があるため、塗装の効率が低下し、非常に疲れることになる。さらに、通常、壁を塗装する場合、ペイントの補充量がよく把握されていないと、ペイントが床に滴り落ちやすく、壁でペイントが十分に均一でないと、突出したペイント跡が残る。
【考案の概要】
【考案が解決しようとする課題】
【０００３】
別の形態として、ローラーを使って往復に転がして壁面を塗装するローラータイプのペイントブラシも市場に出回っている。一度で広い領域を塗装でき、前述のブラシタイプのペイントブラシよりも手間がかからないが、それでもペイントの塗れ手順を繰り返す必要があることを回避できない。これを鑑みて、本考案の考案者は前述の問題を解決するために、本考案のペイントブラシを設計した。
【０００４】
本考案の主な目的は、構造が簡単で低コストのペイントブラシを提供することである。
【課題を解決するための手段】
【０００５】
上記の目的を達成するために、本考案は、本体と、ブラッシング布と、取っ手とを備えるペイントブラシに係り、前記本体は、前面と後面を有し、前記前面に複数の材料出力孔が設けられ、前記後面に枢接部と材料入力部が設けられることで、前記材料入力部がペイント供給装置に連結されると、前記ペイント供給装置内におけるペイントは前記材料入力部から前記本体に入った後、前記本体の前面の材料出力孔から流出することができ、前記ブラッシング布は、前記本体の前面の材料出力孔から流出するペイントに塗れるように前記本体と組み合わされ、前記取っ手は、前記枢接部に連結されており、使用者が握った後、その取っ手を押すことで本体におけるブラッシング布を往復させて塗装作業を実行させることができる。
【０００６】
好ましくは、前記本体の後面には、前記ブラッシング布と貼り合わせ可能な面ファスナーが設けられている。
【０００７】
好ましくは、前記材料入力部は、管本体である。
【０００８】
好ましくは、前記本体の後面には、複数のホイールボディが設けられている。
【考案の効果】
【０００９】
本考案の設計により、ペイント供給装置内のペイントは本体の前面の材料出力孔から連続的に流出することができる。それによって、ブラッシング布はペイントに塗れるようになり、従来の構造のように止まってペイントを付着させる必要がなく、使用者が連続的に塗装することができ、塗装時の速度と効率を効果的に向上させ、ペイントがあちこちに滴る問題が容易に発生しない。
【００１０】
本考案の取っ手は枢接部と可動に連結できるため、必要に応じて適切な長さの取っ手に交換することができ、非常に便利である。
【図面の簡単な説明】
【００１１】
【図１】本考案の実施例に係るペイントブラシの本体の前面の模式図である。
【図２】本考案の実施例に係るペイントブラシの本体の後面の模式図である。
【考案を実施するための形態】
【００１２】
図１及び図２を参照すると、本考案のペイントブラシの好ましい実施例を示している。
【００１３】
本考案に係るペイントブラシは、本体１と、ブラッシング布２と、取っ手３とを備える。
【００１４】
本体１は、前面１１と後面１２を有し、当該本体１の前面１１には複数の材料出力孔１３が設けられ、本体１の後面１２には枢接部１４と、材料入力部１５と、複数のホイールボディ１６とが設けられ、当該材料入力部１５は管本体であり、本体１の後面１２に面ファスナー１７が設けられることで、当該材料入力部１５がペイント供給装置４に連結されると、当該ペイント供給装置４内におけるペイントは前記材料入力部１５から前記本体１に入った後、前記本体１の前面１１の材料出力孔１３から流出することができる。
【００１５】
ブラッシング布２の側面は、面ファスナー１７を介して当該本体１と貼り合わせることができ、ほとんどの領域が当該本体１の前面１１に形成され、本体１の前面１１の材料出力孔１３を覆い、当該本体１の前面１１の材料出力孔１３から流出するペイントが当該ブラッシング布２に塗れるようにする。
【００１６】
取っ手３は、上記の枢接部１４と連結するものであり、使用者が握った後、その取っ手３を押すことで本体１におけるブラッシング布２を往復させて塗装作業を実行させることができる。
【００１７】
従って、実施において、材料入力部１５がペイント供給装置４に連結されると、当該ペイント供給装置４内におけるペイントは材料入力部１５から本体１に入った後、本体１の前面１１の材料出力孔１３から流出することができ、ブラッシング布２がペイントに塗れることができ、使用者がその取っ手３を押して、ブラッシング布２を壁で往復させ塗装作業を行うことができる。
【００１８】
上記は、本考案の特定の実施例及び適用される技術的手段であり、本明細書の開示又は示唆に従って多くの変更や修正を導き出すことができ、それらも依然として本考案の構想による等価変更と見なすことができ、その効果も明細書及び図面でカバーされている本質的な精神を超えていないため、本考案の技術的範囲内であると見なされるべきである。
【００１９】
要約すると、上記の開示内容によれば、本考案は確かに実用新案登録請求の予期目的を達成することができ、ペイントブラシの提供は、産業用に非常に価値のあることであり、法律に従って実用新案登録請求を提出する。
【符号の説明】
【００２０】
１  本体  、１１  前面、１２  後面、１３  材料出力孔、１４  枢接部、１５  材料入力部、１６  ホイールボディ、１７  面ファスナー、２  ブラッシング布、３  取っ手、４  ペイント供給装置。
【図１】
0003231396.tif 000003
【図２】
0003231396.tif 000004
【手続補正書】
【提出日】令和3年1月12日(2021.1.12)
【手続補正１】
【補正対象書類名】実用新案登録請求の範囲
【補正対象項目名】全文
【補正方法】変更
【補正の内容】
【実用新案登録請求の範囲】
【請求項１】
本体と、ブラッシング布と、取っ手とを備えるペイントブラシであって、
前記本体は、前面と後面を有し、前記前面に複数の材料出力孔が設けられ、前記後面に枢接部と材料入力部が設けられ、前記材料入力部は、ペイント供給装置に連結され、前記ペイント供給装置内におけるペイントは、前記材料入力部から前記本体に入り、前記本体の前面の材料出力孔から流出し、
前記ブラッシング布は、前記本体の前面の材料出力孔から流出するペイントに塗れるように前記本体と組み合わされ、
前記取っ手は、前記枢接部に連結されることを特徴とするペイントブラシ。
【請求項２】
前記本体の後面には、前記ブラッシング布と貼り合わせ可能な面ファスナーが設けられることを特徴とする請求項１に記載のペイントブラシ。
【請求項３】
前記材料入力部は、管本体であることを特徴とする請求項１に記載のペイントブラシ。
【請求項４】
前記本体の後面には複数のホイールボディが設けられることを特徴とする請求項１に記載のペイントブラシ。